Podtech/llm-jp-corpus-v4-ja_patent huggingface dataset:
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
重量％で、０．２０までのＣ、２．０〜９．０のＭｎ、２．０までのＳｉ、１６．０〜２３．０のＣｒ、１．０〜５．０のＮｉ、０．４〜２．０のＭｏ、３．０までのＣｕ、０．１〜０．３５のＮ、４．０までのＷ、０．０１までのＢ、１．０までのＣｏ、鉄、及び不純物を含み、１０より低いフェライト価及び２０℃より低いＭＤ３０値を有する、オーステナイト系のステンレス鋼。
【請求項２】
０．５≦（Ｍｏ＋Ｗ／２）≦５．０である、請求項１に記載のオーステナイト系のステンレス鋼。
【請求項３】
約２２より大きいＰＲＥｗ値を有する、請求項１に記載のオーステナイト系のステンレス鋼。
【請求項４】
２２より大きく、３０までのＰＲＥｗ値を有する、請求項１に記載のオーステナイト系のステンレス鋼。
【請求項５】
０より大きく、１０までのフェライト価を有する、請求項１に記載のオーステナイト系のステンレス鋼。
【請求項６】
３〜５のフェライト価を有する、請求項１に記載のオーステナイト系のステンレス鋼。
【請求項７】
−１０℃より低いＭＤ３０値を有する、請求項１に記載のオーステナイト系のステンレス鋼。
【請求項８】
３．０〜５．０のＮｉを含む、請求項１に記載のオーステナイト系のステンレス鋼。
【請求項９】
１．０〜３．０のＮｉを含む、請求項１に記載のオーステナイト系のステンレス鋼。
【請求項１０】
０．０８までのＣを含む、請求項１に記載のオーステナイト系のステンレス鋼。
【請求項１１】
０．５０までのＳｉを含む、請求項１に記載のオーステナイト系のステンレス鋼。
【請求項１２】
２．０〜８．０のＭｎを含む、請求項１に記載のオーステナイト系のステンレス鋼。
【請求項１３】
３．０〜６．０のＭｎを含む、請求項１に記載のオーステナイト系のステンレス鋼。
【請求項１４】
１６．０〜２２．０のＣｒを含む、請求項１に記載のオーステナイト系のステンレス鋼。
【請求項１５】
０．１４〜０．３０のＮを含む、請求項１に記載のオーステナイト系のステンレス鋼。
【請求項１６】
０．５〜２．０のＭｏを含む、請求項１に記載のオーステナイト系のステンレス鋼。
【請求項１７】
０．００８までのＢを含む、請求項１に記載のオーステナイト系のステンレス鋼。
【請求項１８】
０．０５〜０．６０のＷを含む、請求項１に記載のオーステナイト系のステンレス鋼。
【請求項１９】
−１０℃より低いＭＤ３０値を有する、請求項２に記載のオーステナイト系のステンレス鋼。
【請求項２０】
重量％で、０．１０までのＣ、２．０〜８．０のＭｎ、１．０までのＳｉ、１６．０〜２２．０のＣｒ、１．０〜５．０のＮｉ、０．４０〜２．０のＭｏ、１．０までのＣｕ、０．１２〜０．３０のＮ、０．０５０〜０．６０のＷ、１．０までのＣｏ、０．０４までのＰ、０．０３までのＳ、０．００８までのＢ、鉄、及び不純物を含み、１０より低いフェライト価及び２０℃より低いＭＤ３０値を有する、請求項１に記載のオーステナイト系のステンレス鋼。
【請求項２１】
−１０℃より低いＭＤ３０値を有する、請求項２０に記載のオーステナイト系のステンレス鋼。
【請求項２２】
約２２より大きいＰＲＥｗ値を有する、請求項２１に記載のオーステナイト系のステンレス鋼。
【請求項２３】
重量％で、０．０８までのＣ、３．０〜６．０のＭｎ、１．０までのＳｉ、１７．０〜２１．０のＣｒ、３．０〜５．０のＮｉ、０．５０〜２．０のＭｏ、１．０までのＣｕ、０．１４〜０．３０のＮ、１．０までのＣｏ、０．０５〜０．６０のＷ、０．０５までのＰ、０．０３までのＳ、鉄、及び不純物を含み、１０より低いフェライト価及び２０℃より低いＭＤ３０値を有する、請求項１に記載のオーステナイト系のステンレス鋼。
【請求項２４】
−１０℃より低いＭＤ３０値を有する、請求項２３に記載のオーステナイト系のステンレス鋼。
【請求項２５】
約２２より大きいＰＲＥｗ値を有する、請求項２４に記載のオーステナイト系のステンレス鋼。
【請求項２６】
重量％で、０．２０までのＣ、２．０〜９．０のＭｎ、２．０までのＳｉ、１６．０〜２３．０のＣｒ、１．０〜５．０のＮｉ、０．４〜２．０のＭｏ、３．０までのＣｕ、０．１〜０．３５のＮ、４．０までのＷ、０．０１までのＢ、１．０までのＣｏ、鉄、及び不純物からなり、１０より低いフェライト価及び２０℃より低いＭＤ３０値を有する、請求項１に記載のオーステナイト系のステンレス鋼。
【請求項２７】
−１０℃より低いＭＤ３０値を有する、請求項２６に記載のオーステナイト系のステンレス鋼。
【請求項２８】
約２２より大きいＰＲＥｗ値を有する、請求項２７に記載のオーステナイト系のステンレス鋼。
【請求項２９】
重量％で、０．２０までのＣ、２．０〜９．０のＭｎ、２．０までのＳｉ、１６．０〜２３．０のＣｒ、１．０〜５．０のＮｉ、０．４〜２．０のＭｏ、３．０までのＣｕ、０．１〜０．３５のＮ、４．０までのＷ、０．０１までのＢ、１．０までのＣｏ、鉄、及び不純物を含むオーステナイト系のステンレス鋼であって、１０より低いフェライト価及び２０℃より低いＭＤ３０値を有するオーステナイト系のステンレス鋼を含む、製造物品。
【請求項３０】
該オーステナイト系のステンレス鋼は、−１０℃より低いＭＤ３０値を有する、請求項２９に記載の製造物品。
【請求項３１】
該物品は、低温環境及び極低温環境の少なくとも一つにおける使用のために適合している、請求項２９に記載の製造物品。
【請求項３２】
該物品は、耐腐食性物品、耐腐食性建築用パネル、フレキシブルコネクタ、ベローズ、チューブ、パイプ、煙突のライナー、送気管のライナー、プレートフレーム式熱交換器の部品、コンデンサーの部品、薬品処理設備のための部品、衛生用部品、及びエタノール製造設備又はエタノール処理設備のための部品からなる群から選択される、請求項２９に記載の製造物品。
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
塗装された高強度の鋼板製品の製造方法であって、
−炉中で、炉中の雰囲気を制御しながら鋼板ブランクをオーステナイト状態まで加熱し、鋼上に１〜５μｍの黒色酸化物層を与えること；
−冷却された一対の治具中で、ブランクをホットスタンプしそして硬化し、成形された製品とすること；および
−成形された製品をその酸化物層上で塗装すること、
を含む、上記製造方法。
【誤訳訂正書】
【提出日】平成23年10月27日(2011.10.27)
【誤訳訂正１】
【訂正対象書類名】明細書
【訂正対象項目名】００４１
【訂正方法】変更
【訂正の内容】
【００４１】
好ましい一実施形態において、前記組成物は、ＡＳＴＭ  Ｄ−２８９６規格に従い測定される塩基価（ＢＮ）が組成物中８ｍｇＫＯＨ／ｇ以下、好ましくは６．５ｍｇＫＯＨ／ｇ以下である。
【誤訳訂正２】
【訂正対象書類名】特許請求の範囲
【訂正対象項目名】請求項２２
【訂正方法】変更
【訂正の内容】
【請求項２２】
請求項１から２１のいずれか一項において、ＡＳＴＭ  Ｄ−２８９６規格に従い測定される塩基価（ＢＮ）が潤滑剤組成物中８ｍｇＫＯＨ／ｇ以下、好ましくは６．５ｍｇＫＯＨ／ｇ以下である低灰分潤滑剤組成物。
【手続補正書】
【提出日】平成23年11月7日(2011.11.7)
【手続補正１】
【補正対象書類名】特許請求の範囲
【補正対象項目名】請求項７
【補正方法】変更
【補正の内容】
【請求項７】
乾燥発泡体の総重量に対して、少なくとも１質量％の無機粉状固体を有し、少なくとも１つのその表面に図柄を有する超吸収性発泡体を製造する方法であって、乾燥発泡体の総重量に対して、少なくとも１質量％の無機粉状固体及び重合性の、及び架橋性の、場合により（部分的）に中和されている、酸性基を含むモノエチレン性不飽和モノマー又は少なくとも１つの架橋性の塩基性ポリマー、並びに架橋剤、無機粉状充填剤及び少なくとも１つの界面活性剤を含む発泡モノマー混合物を、少なくとも１つの内壁面に図柄を有する成形型の中で重合させる前記方法。
【手続補正書】
【提出日】平成23年10月25日(2011.10.25)
【手続補正１】
【補正対象書類名】明細書
【補正対象項目名】００７６
【補正方法】変更
【補正の内容】
【００７６】
【表１】
2011505433.tif 000001
次に、本発明の好ましい態様を示す。
１  ポリ（ヒドロキシアルカン酸）と、耐衝撃性改良剤とを含むかまたはそれらから製造された組成物であって、前記組成物は核剤を含んでいてもよく、
前記ポリ（ヒドロキシアルカン酸）が６−ヒドロキシヘキサン酸、３−ヒドロキシヘキサン酸、４−ヒドロキシヘキサン酸、３−ヒドロキシヘプタン酸、またはそれらの２つ以上の組み合わせに由来する繰り返し単位を含み；
前記改良剤が、前記組成物の重量を基準にして、約０．１〜約５０％で前記組成物中に存在し、そしてアルキルアクリレートおよびコモノマーに由来する繰り返し単位を含み；  前記アルキルが基当たり１〜約１０個の炭素原子を含むことができ；そして
前記コモノマーが（メタ）アクリル酸、マレイン酸、無水マレイン酸、グリシジルメタクリレート、グリシジルアクリレート、一酸化炭素、またはそれらの２つ以上の組み合わせを含む
組成物。
２  前記ポリ（ヒドロキシアルカン酸）が５個以下の炭素原子を有するヒドロキシアルカン酸に由来する繰り返し単位を含み；
前記改良剤が約０．５％〜約３０％で前記組成物中に存在し；
前記アルキルグループがエチルアクリレート、プロピルアクリレート、イソプロピルアクリレート、ｎ−ブチルアクリレート、第三ブチルアクリレート、イソブチルアクリレート、第二ブチルアクリレート、アミルアクリレート、またはそれらの２つ以上の組み合わせを含み；前記コモノマーがグリシジルメタクリレート、グリシジルアクリレート、またはそれらの組み合わせを含み；そして
前記改良剤の酸部分、またはその一部が金属イオンで中和されていてもよい
上記１に記載の組成物。
３  前記ポリ（ヒドロキシアルカン酸）がグリコール酸、乳酸、３−ヒドロキシプロピオン酸、２−ヒドロキシ酪酸、３−ヒドロキシ酪酸、４−ヒドロキシ酪酸、３−ヒドロキシ吉草酸、４−ヒドロキシ吉草酸、５−ヒドロキシ吉草酸、またはそれらの２つ以上の組み合わせに由来する繰り返し単位を含み；
前記改良剤が約０．５〜約３０％で前記組成物中に存在し、そして前記コモノマーに由来する繰り返し単位を含み；
前記アルキルグループがエチルアクリレート、ｎ−ブチルアクリレート、イソブチルアクリレート、またはそれらの２つ以上の組み合わせを含み；そして
前記核剤が脂肪酸、脂肪酸誘導体、ポリアセタール、ポリアセタールコポリマー、またはベースポリ（ヒドロキシアルカン酸）の融点より３０℃以上高い融点を有するポリ（ヒドロキシアルカン酸）異性体もしくはコポリマーを含む
上記１または２に記載の組成物。
４  前記組成物が、酸、エステル、アミド、もしくはアルコール、またはそれらの２つ以上の組み合わせを含む０．０１〜４％の前記核剤を含み；
前記ポリ（ヒドロキシアルカン酸）がポリ（グリコール酸）、ポリ（乳酸）、ポリ（ヒドロキシ酪酸）、ポリ（ヒドロキシ−ブチレート−バレレート）コポリマー、グリコール酸と乳酸、ヒドロキシ吉草酸、５−ヒドロキシ吉草酸とのコポリマー、またはそれらの２つ以上の組み合わせを含み；
前記改良剤が約０．５〜約２０％で前記組成物中に存在し；
前記アルキルグループがエチルアクリレートまたはｎ−ブチルアクリレートを含み；そして
前記コモノマーがグリシジルメタクリレートである
上記３に記載の組成物。
５  前記ポリ（ヒドロキシアルカン酸）がポリ（乳酸）を含み、前記改良剤がポリ（ブチルアクリレート−グリシジルメタクリレート）、ポリ（エチルアクリレート−グリシジルメタクリレート）、ポリ（イソブチルアクリレート−グリシジルメタクリレート）、またはそれらの２つ以上の組み合わせであり、そして前記核剤がステアリン酸、ベヘン酸、ベヘンアミド、またはそれらの２つ以上の組み合わせを含む上記４に記載の組成物。
６  前記改良剤がポリ（ブチルアクリレート−グリシジルメタクリレート）である上記１〜５のいずれか一項に記載の組成物。
７  前記改良剤がポリ（エチルアクリレート−グリシジルメタクリレート）である上記１〜５のいずれか一項に記載の組成物。
８  前記改良剤がポリ（イソブチルアクリレート−グリシジルメタクリレート）である上記１〜５のいずれか一項に記載の組成物。
９  上記１〜８のいずれか一項に記載されたようなものである組成物を含むかまたはそれから製造された物品。
１０  フィルム、シート、繊維、フィラメント、蓋材用フィルム、またはそれらの２つ以上の組み合わせである上記９に記載の物品。
１１  トレイ、コップ、缶、バケツ、タブ、箱、ボウル、蓋、延伸チューブ、押出キャストチューブ、ブローンチューブ、クラムシェル、皿、プレート、またはそれらの２つ以上の組み合わせである上記９に記載の物品。
１２  組成物を生成するのに有効な条件下にポリ（ヒドロキシアルカン酸）を耐衝撃性改良剤と接触させる工程と、前記組成物を熱成形または射出成形して物品を製造する工程とを含む方法であって、前記組成物が上記１〜８のいずれか一項に記載されたようなものであり、そして前記物品が３０ミル厚さ当たり約２％曇り度〜３０ミル厚さ当たり約２０％曇り度の曇り度を有する方法。
【手続補正２】
【補正対象書類名】特許請求の範囲
【補正対象項目名】全文
【補正方法】変更
【補正の内容】
【特許請求の範囲】
【請求項１】
ポリ（ヒドロキシアルカン酸）と、耐衝撃性改良剤とを含むかまたはそれらから製造された組成物であって、前記組成物は核剤を含んでいてもよく、
前記ポリ（ヒドロキシアルカン酸）が６−ヒドロキシヘキサン酸、３−ヒドロキシヘキサン酸、４−ヒドロキシヘキサン酸、３−ヒドロキシヘプタン酸、またはそれらの２つ以上の組み合わせに由来する繰り返し単位を含み；
前記改良剤が、前記組成物の重量を基準にして、約０．１〜約５０％で前記組成物中に存在し、そしてアルキルアクリレートおよびコモノマーに由来する繰り返し単位を含み；  前記アルキルが基当たり１〜約１０個の炭素原子を含むことができ；そして
前記コモノマーが（メタ）アクリル酸、マレイン酸、無水マレイン酸、グリシジルメタクリレート、グリシジルアクリレート、一酸化炭素、またはそれらの２つ以上の組み合わせを含む
組成物。
【請求項２】
請求項１に記載されたようなものである組成物を含むかまたはそれから製造された物品。
【請求項３】
組成物を生成するのに有効な条件下にポリ（ヒドロキシアルカン酸）を耐衝撃性改良剤と接触させる工程と、前記組成物を熱成形または射出成形して物品を製造する工程とを含む方法であって、前記組成物が請求項１に記載されたようなものであり、そして前記物品が３０ミル厚さ当たり約２％曇り度〜３０ミル厚さ当たり約２０％曇り度の曇り度を有する方法。
【手続補正書】
【提出日】平成23年10月27日(2011.10.27)
【手続補正１】
【補正対象書類名】明細書
【補正対象項目名】００１４
【補正方法】変更
【補正の内容】
【００１４】
成分Ａ）の適当なポリイソシアネートは、当業者にそれ自体知られている、芳香族、芳香脂肪族、脂肪族または脂環式のポリイソシアネートである。適当なポリイソシアネートは例えば、１，４−ブチレンジイソシアネート、１，６−ヘキサメチレンジイソシアネート（ＨＤＩ）、イソホロンジイソシアネート（ＩＰＤＩ）、２，２，４−トリメチルヘキサメチレンジイソシアネートおよび／または２，４，４−トリメチルヘキサメチレンジイソシアネート、異性体ビス（４，４’−イソシアナトシクロヘキシル）メタンまたは任意の異性体含量を有するそれらの混合物、１，４−シクロヘキシレンジイソシアネート、１，４−フェニレンジイソシアネート、２，４−トルイレンジイソシアネートおよび／または２，６−トルイレンジイソシアネート、１，５−ナフチレンジイソシアネート、２，４’−ジフェニルメタンジイソシアネートまたは４，４’−ジフェニルメタンジイソシアネート、１，３−ビス（２−イソシアナト−プロプ−２−イル）ベンゼンおよび１，４−ビス（２−イソシアナト−プロプ−２−イル）ベンゼン（ＩＭＸＤＩ）、１，３−ビス（イソシアナトメチル）ベンゼン（ＸＤＩ）、（Ｓ）−アルキル−２，６−ジイソシアナトヘキサノエートまたは（Ｌ）−アルキル−２，６−ジイソシアナトヘキサノエートである。
【手続補正２】
【補正対象書類名】明細書
【補正対象項目名】００１５
【補正方法】変更
【補正の内容】
【００１５】
２以上の官能価を有するポリイソシアネートもまた、ある割合で使用され得る。これらは、ウレトジオン、イソシアヌレート、ウレタン、アロファネート、ビウレット、イミノオキサジアジンジオンおよび／またはオキサジアジントリオン構造を有する変性ジイソシアネート、および一分子あたり３個以上のＮＣＯ基を含有する未変性ポリイソシアネート、例えば、４−イソシアナトメチル−１，８−オクタンジイソシアネート（ノナントリイソシアネート）またはトリフェニルメタン−４，４’，４’’−トリイソシアネートを包含する。
【誤訳訂正書】
【提出日】平成23年10月21日(2011.10.21)
【誤訳訂正１】
【訂正対象書類名】明細書
【訂正対象項目名】００４０
【訂正方法】変更
【訂正の内容】
【００４０】
本発明の蛍光体は、樹脂（例えばエポキシもしくはシリコーン樹脂）に分散して一次光源に直接配置するか、または用途に依存して、これから遠隔に配置することができる（後者の配置は、「遠隔蛍光体技術（remote phosphor technology）」をも含む）。遠隔蛍光体技術の利点は、当業者に知られており、例えば以下の刊行物において明らかにされている： Japanese Journ. of Appl. Phys. 第４４巻、No. 21 (2005), L649-L651。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
式（Ｉ）の化合物であって、
【化１】
2011505345.tif 000001
式中、ｍは、０から２まで変化し、ｎは、１から３まで変化し、Ｒ１は、インドールを除く芳香族基であり、Ｒ４は、芳香族基であり、Ｒ２およびＲ３は、独立に、ＨもしくはＣ１〜Ｃ４アルキル基であるか、または、Ｒ２およびＲ３は、一緒になって、窒素原子に結合し環状構造を形成するＣ４〜Ｃ５アルキレン鎖であり、またはＲ３は、カチオンもしくは金属キレート基であり、
Ｘ１は、式（ａ）、（ｂ）または（ｃ）
【化２】
2011505345.tif 000002
のアミノアシル残基であることを特徴とする化合物。
【請求項２】
前記イオンまたは金属キレート基は、前記アミノ基に直接的に結合しているか、または式−Ｚ−Ｒ５−ＣＯ−の基を介して結合しており、
Ｒ５は、Ｃ１〜Ｃ１１アルキレン、Ｃ１〜Ｃ１１アルケニレンまたは−ＣＨ（Ｒ６）−であり、Ｒ６は、αアミノ酸の側鎖であり、Ｚは、前記キレート基上に存在する官能基とエーテル結合、エステル結合またはアミド結合を形成することが可能な官能基であることを特徴とする請求項１に記載の化合物。
【請求項３】
ｍは、１に等しく、ｎは、１から２まで変化することを特徴とする請求項１に記載の化合物。
【請求項４】
Ｒ１は、フェニル、ナフチル、ベンズヒドリル、フルオレニル、スチレニル、アントラニルまたはビフェニルであることを特徴とする請求項１に記載の化合物。
【請求項５】
Ｒ１は、１つまたは複数のメチルオキシ基で置換されているナフタレン基であることを特徴とする請求項１に記載の化合物。
【請求項６】
、Ｒ１は、３，８−ジメトキシ−ナフタレン−２−イルであることを特徴とする請求項１に記載の化合物。
【請求項７】
Ｒ４は、フェニル、またはヒドロキシル基、Ｃ１〜Ｃ４アルコキシル基、Ｃ１〜Ｃ４アルキル基、ハロゲン基またはニトロ基によって置換されているフェニルであることを特徴とする請求項１に記載の化合物。
【請求項８】
Ｒ４は、４−ヒドロキシフェニルであることを特徴とする請求項１に記載の化合物。
【請求項９】
前記Ｒ３基は、親水性キレート化剤であることを特徴とする請求項１に記載の化合物。
【請求項１０】
Ｘ１は、式（ｃ）のアミノアシル残基であることを特徴とする請求項１に記載の化合物。
【請求項１１】
式（Ｉ）におけるシクロヘキサペプチドのアミノアシル残基は配置Ｌまたは配置Ｄを有し、好ましくは、残基１、残基２および残基４〜６はＬであり、好ましくは、残基３はＤであることを特徴とする請求項１に記載の化合物。
【請求項１２】
前記アミノ基のうちの１つは、任意選択的に、保護されている形またはその塩化もしくは錯化されている形であってよいことを特徴とする請求項１に記載の化合物。
【請求項１３】
前記塩は、酢酸塩、乳酸塩、安息香酸塩、アスパラギン酸塩、パモ酸塩、ポリメタクリル酸塩、ポリスチレンスルホン酸塩、塩酸塩、硫酸塩または硝酸塩の中から選択されることを特徴とする請求項１２に記載の化合物。
【請求項１４】
・シクロ［Ｔｙｒ（Ｂｎ）−Ｐｈｅ−［４−（２−アミノエチル）カルバモイル］Ｐｒｏ−Ｐｈｅ−（Ｄ，Ｌ）［３−（３，８−ジメトキシ−ナフタレン−２−イル）］Ａｌａ−Ｌｙｓ］異性体Ｂ、
・シクロ［Ｔｙｒ（Ｂｎ）−Ｐｈｅ−（Ｄ，Ｌ）［４−（２−アミノエチル）カルバモイル］Ｐｒｏ−Ｐｈｅ−（２，５−ジメトキシ）ｈＰｈｅ−Ｌｙｓ］異性体Ｂ、
・シクロ［Ｔｙｒ（Ｂｎ）−Ｐｈｅ−［４−（２−メチルアミノエチル）カルバモイル］Ｐｒｏ−Ｐｈｅ−（Ｄ，Ｌ）［３−（３，８−ジメトキシ−ナフタレン−２−イル）］Ａｌａ−Ｌｙｓ］異性体Ｂ、
・シクロ［Ｔｙｒ（Ｂｎ）−Ｐｈｅ−［４−（２−アミノエチル）カルバモイル］Ｐｒｏ−Ｐｈｅ−（Ｄ，Ｌ）［３−（１，４−ジメトキシ−ナフタレン−２−イル）］Ａｌａ−Ｌｙｓ］異性体Ａ、
・シクロ［Ｔｙｒ（Ｂｎ）−Ｐｈｅ−［４−（２−アミノエチル）カルバモイル］Ｐｒｏ−Ｐｈｅ−（Ｄ，Ｌ）［３−（１，４−ジメトキシ−ナフタレン−２−イル）］Ａｌａ−Ｌｙｓ］異性体Ｂ、
・シクロ［Ｔｙｒ（Ｂｎ）−Ｐｈｅ−［４−（２−アミノエチル）カルバモイル］Ｐｒｏ−Ｐｈｅ−（Ｄ）［３−（ナフタレン−２−イル）］Ａｌａ−Ｌｙｓ］、
・シクロ［Ｔｙｒ（Ｂｎ）−Ｐｈｅ−［４−（２−アミノエチル）カルバモイル］Ｐｒｏ−Ｐｈｅ−（Ｄ）ｈＰｈｅ−Ｌｙｓ］、
・シクロ［Ｔｙｒ（Ｂｎ）−Ｐｈｅ−［４−（２−メチルアミノエチル）カルバモイル］Ｐｒｏ−Ｐｈｇ−（Ｄ）スチリルＡｌａ−Ｌｙｓ］、
・シクロ［Ｔｙｒ（Ｂｎ）−Ｐｈｅ−［４−（２−アミノエチル）カルバモイル］Ｐｒｏ−Ｐｈｇ−（Ｄ）ｈＰｈｅ−Ｌｙｓ］、
・シクロ［Ｔｙｒ（Ｂｎ）−Ｐｈｅ−［４−（２−アミノエチル）カルバモイル］Ｐｒｏ−Ｔｙｒ−（Ｄ，Ｌ）［３−（３，８−ジメトキシ−ナフタレン−２−イル）］Ａｌａ−Ｌｙｓ］異性体Ｂおよび
・シクロ［Ｓｅｒ（Ｂｎ）−Ｐｈｅ−［４−（２−アミノエチル）カルバモイル］Ｐｒｏ−Ｐｈｅ−（Ｄ，Ｌ）［３−（３，８−ジメトキシ−ナフタレン−２−イル）］Ａｌａ−Ｌｙｓ］異性体Ｂ、
ならびにそれらの塩および薬学的に許容される錯体で構成される群から選択されることを特徴とする請求項１に記載の化合物。
【請求項１５】
請求項１に記載のシクロヘキサペプチドの調製方法であって、
ａ）アミノ酸側鎖に存在する任意選択的な官能基が任意選択的に保護されている形である、直鎖状ヘキサペプチドを調製するステップと、
ｂ）１種または複数種の縮合剤を用いて、前記ヘキサペプチドを環化するステップと、
ｃ）任意選択的に、前記任意選択的な保護基を除去するステップと、
ｄ）得られたシクロペプチドを最終的に精製するステップと
を含むことを特徴とする方法。
【請求項１６】
ポイントａ）で得られた前記直鎖状ペプチドのＣ−末端アミノ酸は、リジンであることを特徴とする、請求項１５に記載の方法。
【請求項１７】
請求項１に記載の化合物またはその薬学的に許容される塩を、少なくとも１種の薬学的に許容される賦形剤と併せて含むことを特徴とする医薬組成物。
【請求項１８】
改変された放出用または局所放出用の剤形であることを特徴とする、請求項１７に記載の組成物。
【請求項１９】
血管形成、増殖性網膜症、黄斑浮腫、脈絡膜血管新生疾患に相関する障害、血管損傷後の、血管移植片疾患、静脈移植片狭窄、再狭窄および血管閉塞、腸管皮膚瘻および膵皮膚瘻、過敏性腸症候群、炎症性疾患および炎症性障害、多発性嚢胞腎疾患、急速胃内容排出症候群、水様性下痢症候群、ＡＩＤＳに関係する下痢、化学療法によって誘発される下痢、急性膵炎または慢性膵炎、消化管出血、腫瘍および悪性腫瘍の治療のための、請求項１に記載の化合物。
【請求項２０】
先端巨大症の治療のための、請求項１に記載の化合物。
【請求項２１】
消化管ホルモン分泌腫瘍の治療のための、請求項１に記載の化合物。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
ヒトモノクローナル抗体もしくはパートナー分子に結合したその抗原結合部分を含有する抗体-パートナー分子複合体であって、抗体もしくはその抗原結合部分はヒトRG-1を結合し、該複合体は以下の特性:
(a)1 x 10-8 M以下のKDでヒトRG-1に結合するか;または、
(b)in vivoにおいてRG-1-発現細胞の増殖を阻害する
のうち少なくとも１つを示し、
該パートナー分子が式(I):
【化１】
2011505371.tif 000001
（式中、PDは、カルバメート、ホスフェート、またはβ-グルクロン酸誘導体からなる群から選択されるプロドラッグ化基を示す）
により表される構造を有し、
該抗体もしくはその抗原結合部分が、
(a)配列番号:1またはその保存的修飾を含む重鎖可変領域CDR1;
(b)配列番号:3またはその保存的修飾を含む重鎖可変領域CDR2;
(c)配列番号:5またはその保存的修飾を含む重鎖可変領域CDR3;
(d)配列番号:7またはその保存的修飾を含む軽鎖可変領域CDR1;
(e)配列番号:9またはその保存的修飾を含む軽鎖可変領域CDR2;および、
(f)配列番号:11またはその保存的修飾を含む軽鎖可変領域CDR3
を含有する、
該複合体。
【請求項２】
抗体もしくはその抗原結合部分が:
(a)配列番号:1を含む重鎖可変領域CDR1;
(b)配列番号:3を含む重鎖可変領域CDR2;
(c)配列番号:5を含む重鎖可変領域CDR3;
(d)配列番号:7を含む軽鎖可変領域CDR1;
(e)配列番号:9を含む軽鎖可変領域CDR2;および、
(f)配列番号:11を含む軽鎖可変領域CDR3
を含有する、請求項１に記載の複合体。
【請求項３】
該抗体もしくはその抗原結合部分が:
(a)配列番号:13およびその保存的修飾からなる群から選択されるアミノ酸配列を含む重鎖可変領域;ならびに、
(b)配列番号:15およびその保存的修飾からなる群から選択されるアミノ酸配列を含む軽鎖可変領域
を含有する、請求項１に記載の複合体。
【請求項４】
式(A):
【化２】
2011505371.tif 000002
（式中、Abは抗体もしくはその抗原結合部分を示す）
により表される構造を有する、請求項１に記載の複合体。
【請求項５】
癌の治療のための、請求項１に記載の複合体および医薬的に許容される担体を含有する医薬組成物。
【請求項６】
RG-1-発現腫瘍細胞と該複合体を接触させることによりRG-1-発現腫瘍細胞の増殖を阻害することを特徴とする、請求項５に記載の医薬組成物。
【請求項７】
該複合体が、式(A):
【化３】
2011505371.tif 000003
（式中、Abは抗体もしくはその抗原結合部分を示す）
により表される構造を有する、請求項５または６に記載の医薬組成物。
【請求項８】
該癌が前立腺癌または膀胱癌である、請求項５から７のいずれか１つに記載の医薬組成物。
【請求項９】
該癌が、肺癌、胃癌、乳癌、腎癌、膵癌、大腸癌、メラノーマ、または膵島細胞腺腫である、請求項５から７のいずれか１つに記載の医薬組成物。
【請求項１０】
治療上有効な量の請求項１に記載の複合体および少なくとも１つの細胞傷害性薬物もしくは放射性毒性薬物を含む別の治療薬を組み合わせて含む、癌の治療のための剤であって、該別の治療薬を該複合体の前、同時、または後で投与することを特徴とする、該剤。
【請求項１１】
該複合体が式:
【化４】
2011505371.tif 000004
（式中、Abは抗体もしくはその抗原結合部分を示す）
により表される構造を有する、請求項１０に記載の剤。
【請求項１２】
該癌が前立腺癌、膀胱癌、肺癌、胃癌、乳癌、腎癌、膵癌、大腸癌、メラノーマ、または膵島細胞腺腫である、請求項１０または１１に記載の剤。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
Ｆｅ（ＩＩＩ）を除去して68Ｇａジェネレータ溶出液を精製する方法であって、（ｉ）０．０５〜５０．１の塩酸水溶液で68Ｇｅ／68Ｇａジェネレータを溶出して、68Ｇａを含む溶出液を得る段階と、（ｉｉ）段階（ｉ）の溶出液を、（ａ）該溶出液中のＦｅ（ＩＩＩ）をＦｅ（ＩＩ）に還元するとともに、（ｉｉ）溶出液中で［68ＧａＣｌ4］-を得るため３０％塩酸で酸性化する処理に付す段階であって、（ｉｉ−ａ）と（ｉｉ−ｂ）とを任意には同時に行ってもよい段階と、（ｉｉｉ）段階（ｉｉ）で還元した溶出液を、陰イオン交換カラムに流して、［68ＧａＣｌ4］-をカラムに保持して、Ｆｅ（ＩＩ）を溶出させる段階と、（ｉｖ）段階（ｉｉｉ）で保持された68Ｇａを、脱イオン水で溶出して精製68Ｇａを得る段階とを含んでなる方法。
【請求項２】
段階（ｉｉ）の還元が、Ｓｎ（ＩＩ）、Ｃｕ、Ｚｎ、Ａｌ、Ｔｉ（ＩＩＩ）又は有機ヒドラジンを含む還元剤の存在下での、４Ｍ  ＨＣｌによる溶出液の酸性化によって実施される、請求項１記載の方法。
【請求項３】
段階（ｉｉ）の還元が、（ａ）水素化ホウ素官能化樹脂、（ｂ）レドックス活性ヒドロキノン官能化ポリアクリル酸ポリマー、又は（ｃ）レドックス活性ヒドロキノン官能化ジビニルベンゼンポリマーのいずれかを用いて実施される、請求項１記載の方法。
【請求項４】
段階（ｉｉｉ）の陰イオン交換カラムがＣｈｒｏｍａｆｉｘ  ３０−ＰＳ−ＨＣＯ3カラムである、請求項１乃至請求項３のいずれか１項記載の方法。
【請求項５】
精製68Ｇａを68Ｇａ系放射性医薬品へと変換する段階をさらに含む、請求項１乃至請求項４のいずれか１項記載の方法。
【請求項６】
請求項５記載の方法を実施するための自動化システムの使用。
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
ＩＬ−３Ｒα（ＣＤ１２３）を発現する白血病性幹細胞を阻害するための薬剤であって、増強されたＦｃエフェクター機能を有する改変Ｆｃ領域を含む抗体又は抗体断片を含み、前記抗体又は抗体断片がＩＬ−３Ｒα（ＣＤ１２３）に選択的に結合する、前記薬剤。
【請求項２】
患者における血液学的癌病態を治療するための薬剤であって、増強されたＦｃエフェクター機能を有する改変Ｆｃ領域を含む抗体又は抗体断片を含み、前記抗体又は抗体断片がＩＬ−３Ｒα（ＣＤ１２３）に選択的に結合する、前記薬剤。
【請求項３】
抗体又は抗体断片が、増強されたＦｃエフェクター機能を有する改変Ｆｃ領域を含むモノクローナル抗体または抗体断片である、請求項１または２に記載の薬剤。
【請求項４】
抗体または抗体断片のＦｃ領域の改変が、前記Ｆｃ領域において、Ｆｃ領域と、関連するＦｃ受容体および補体との相互作用を増強させるために、少なくとも１つのアミノ酸の置換を含む、請求項１または２に記載の薬剤。
【請求項５】
改変Ｆｃ領域を含む抗体または抗体断片が、脱フコシル化抗体または抗体断片である、請求項１または２に記載の薬剤。
【請求項６】
抗体または抗体断片のＦｃ領域における改変が、前記Ｆｃ領域における保存Ａｓｎ297に結合したオリゴ糖の改変を含む、請求項１または２に記載の薬剤。
【請求項７】
抗体または抗体断片がキメラ抗体、ヒト化抗体もしくはヒトモノクローナル抗体または抗体断片である、請求項３記載の薬剤。
【請求項８】
抗体または抗体断片がヒト定常領域に移植されたマウス抗ＣＤ１２３モノクローナル抗体の軽可変領域および重可変領域を含むキメラ抗体または抗体断片である、請求項７に記載の薬剤。
【請求項９】
抗体または抗体断片がヒトのフレームワーク領域上に移植されたマウス抗ＣＤ１２３モノクローナル抗体の複数の相補性決定領域（ＣＤＲ）を含むヒト化抗体または抗体断片である、請求項７に記載の薬剤。
【請求項１０】
抗体または抗体断片の投与前、投与と同時に、または投与後に投与するための化学療法剤をさらに含む、請求項２に記載の薬剤。
【請求項１１】
化学療法剤が、
（ａ）マスタードガス誘導体：メクロレタミン、シクロホスファミド、クロラムブシル、メルファラン、およびイホスファミド
（ｂ）エチレンイミン類：チオテパおよびヘキサメチルメラミン
（ｃ）アルキルスルホネート類：ブスルファン
（ｄ）ヒドラジン類およびトリアジン類：アルトレタミン、プロカルバジン、ダカルバジンおよびテモゾロミド
（ｅ）ニトロソ尿素類：カルムスチン、ロムスチンおよびストレプトゾシン
（ｆ）金属塩類：カルボプラチン、シスプラチン、およびオキサリプラチン
（ｇ）ビンカアルカロイド類：ビンクリスチン、ビンブラスチンおよびビノレルビン
（ｈ）タキサン類：パクリタキセルおよびドセタキセル
（ｉ）ポドフィロトキシン類：エトポシドおよびテニポシド
（ｊ）カンプトテシン類縁体：イリノテカンおよびトポテカン
（ｋ）アントラサイクリン類：ドキソルビシン、ダウノルビシン、エピルビシン、ミトキサントロンおよびイダルビシン
（ｌ）クロモマイシン類：ダクチノマイシンおよびプリカマイシン
（ｍ）その他の抗癌抗生物質：マイトマイシンおよびブレオマイシン
（ｎ）葉酸アンタゴニスト：メトトレキサート
（ｏ）ピリミジンアンタゴニスト：５−フルオロウラシル、フォクスリジン、シタラビン、カペシタビン、およびゲムシタビン
（ｐ）プリンアンタゴニスト：６−メルカプトプリンおよび６−チオグアニン
（ｑ）アデノシンデアミナーゼ阻害剤：クラドリビン、フルダラビン、ネララビンおよびペントスタチン
（ｒ）トポイソメラーゼＩ阻害剤：イロノテカンおよびトポテカン
（ｓ）トポイソメラーゼＩＩ阻害剤：アムサクリン、エトポシド、エトポシドリン酸塩およびテニポシド
（ｔ）リボヌクレオチドレダクターゼ阻害剤：ヒドロキシ尿素
（ｕ）副腎皮質ステロイド阻害剤：ミトタン
（ｖ）酵素類：アスパラギナーゼおよびペガスパルガーゼ
（ｗ）微小管阻害剤：エストラムスチン
（ｘ）レチノイド類：ベキサロテン、イソトレチノインおよびトレチノイン（ＡＴＲＡ）
からなる群から選択される細胞毒性剤である、請求項１０記載の薬剤。
【請求項１２】
ＩＬ−３Ｒα（ＣＤ１２３）を発現する白血病性幹細胞の阻害用医薬品の製造における、増強されたＦｃエフェクター機能を有する改変Ｆｃ領域を含む抗体または抗体断片の使用であって、前記抗体または抗体断片がＩＬ−３Ｒα（ＣＤ１２３）に選択的に結合する、前記使用。
【請求項１３】
患者における血液学的癌病態を治療する薬剤の製造における、増強されたＦｃエフェクター機能を有する改変Ｆｃ領域を含む抗体または抗体断片の使用であって、前記抗体または抗体断片がＩＬ−３Ｒα（ＣＤ１２３）に選択的に結合する、前記使用。
【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
シチジンアナログを含む、比較的高リスクの骨髄異形成症候群を治療するための医薬組成物。
【請求項２】
前記比較的高リスクの骨髄異形成症候群が、国際予後判定システム(IPSS)において中間リスク-2若しくは高リスクであるか、又は芽球過剰性不応性貧血、移行期芽球過剰性不応性貧血、又は10〜29％の骨髄芽球を有する慢性骨髄単球性白血病である、請求項1記載の医薬組成物。
【請求項３】
前記シチジンアナログが、5-アザ-2'-デオキシシチジン、5-アザシチジン、5-アザ-2'-デオキシ-2',2'-ジフルオロシチジン、5-アザ-2'-デオキシ-2'-フルオロシチジン、2'-デオキシ-2',2'-ジフルオロシチジン、シトシン1-β-D-アラビノフラノシド、2(1H)ピリミジンリボシド、2'-シクロシチジン、アラビノフラノシル-5-アザシチジン、ジヒドロ-5-アザシチジン、N4-オクタデシル-シタラビン、及びエライジン酸シタラビンからなる群から選択される、請求項1記載の医薬組成物。
【請求項４】
前記シチジンアナログが、5-アザシチジンである、請求項1記載の医薬組成物。
【請求項５】
皮下投与用に製剤されている、請求項1記載の医薬組成物。
【請求項６】
前記5-アザシチジンが、75mg/m2/日の量で28日ごとに7日間投与されるように用いられることを特徴とする、請求項5記載の医薬組成物。
【請求項７】
経口投与用に製剤されている、請求項1記載の医薬組成物。
【請求項８】
シチジンアナログによる治療のために骨髄異形成症候群と診断された患者を選択する方法であって、比較的高リスクを有する骨髄異形成症候群と診断された患者を評価すること、及び該患者の骨髄異形成症候群が比較的高リスクを有するとして評価された場合に、5-アザシチジンで治療する患者を選択することを含む、前記方法。
【請求項９】
前記比較的高リスク骨髄異形成症候群が、国際予後判定システム(IPSS)において中間リスク-2若しくは高リスクであるか、又は芽球過剰性不応性貧血、移行期芽球過剰性不応性貧血、又は10〜29％の骨髄芽球を有する慢性骨髄単球性白血病である、請求項8記載の方法。
【請求項１０】
前記シチジンアナログが、5-アザ-2'-デオキシシチジン、5-アザシチジン、5-アザ-2'-デオキシ-2',2'-ジフルオロシチジン、5-アザ-2'-デオキシ-2'-フルオロシチジン、2'-デオキシ-2',2'-ジフルオロシチジン、シトシン1-β-D-アラビノフラノシド、2(1H) ピリミジンリボシド、2'-シクロシチジン、アラビノフラノシル-5-アザシチジン、ジヒドロ-5-アザシチジン、N4-オクタデシル-シタラビン、及びエライジン酸シタラビンからなる群から選択される、請求項8記載の方法。
【請求項１１】
前記シチジンアナログが、5-アザシチジンである、請求項8記載の方法。
【請求項１２】
前記シチジンアナログが、皮下投与される、請求項8記載の方法。
【請求項１３】
前記5-アザシチジンが、75mg/m2/日の量で28日ごとに7日間投与される、請求項12記載の方法。
【請求項１４】
前記シチジンアナログが、経口投与される、請求項8記載の方法。
【請求項１５】
シチジンアナログを含む、比較的高リスクの骨髄異形成症候群を有する患者の生存を改善するための医薬組成物。
【請求項１６】
前記比較的高リスク骨髄異形成症候群が、国際予後判定システム(IPSS)において中間リスク-2若しくは高リスクであるか、又は芽球過剰性不応性貧血、移行期芽球過剰性不応性貧血、又は10〜29％の骨髄芽球を有する慢性骨髄単球性白血病である、請求項15記載の医薬組成物。
【請求項１７】
前記シチジンアナログが、5-アザ-2'-デオキシシチジン、5-アザシチジン、5-アザ-2'-デオキシ-2',2'-ジフルオロシチジン、5-アザ-2'-デオキシ-2'-フルオロシチジン、2'-デオキシ-2',2'-ジフルオロシチジン、シトシン1-β-D-アラビノフラノシド、2(1H) ピリミジンリボシド、2'-シクロシチジン、アラビノフラノシル-5-アザシチジン、ジヒドロ-5-アザシチジン、N4-オクタデシル-シタラビン、及びエライジン酸シタラビンからなる群から選択される、請求項15記載の医薬組成物。
【請求項１８】
前記シチジンアナログが、5-アザシチジンである、請求項15記載の医薬組成物。
【請求項１９】
皮下投与用に製剤されている、請求項15記載の医薬組成物。
【請求項２０】
前記5-アザシチジンが、75mg/m2/日の量で28日ごとに7日間投与されるように用いられることを特徴とする、請求項19記載の医薬組成物。
【請求項２１】
経口投与用に製剤されている、請求項15記載の医薬組成物。
【請求項２２】
アザシチジン治療後改善された全生存を得る増大した確率を有する、骨髄異形成症候群と診断された患者を同定する方法。
【請求項２３】
前記患者の核酸のメチル化レベルを分析することを含む、請求項22記載の方法。
【請求項２４】
前記核酸が、DNAである、請求項23記載の方法。
【請求項２５】
前記核酸が、RNAである、請求項23記載の方法。
【請求項２６】
より低いメチル化レベルが、アザシチジン治療後に改善された全生存を得る増大した確率を示す、請求項23記載の方法。
【請求項２７】
CDKN2B(p15)、SOCS1、CDH1(E-カドヘリン)、TP73、及びCTNNA1(α-カテニン)から選択される遺伝子のメチル化レベルを分析することを含む、請求項23記載の方法。
【請求項２８】
前記アザシチジン治療後に改善された全生存を得る患者の増大した確率が、患者のアザシチジン治療を計画又は調節するために使用される、請求項23記載の方法。
【請求項２９】
前記増大した確率が、10％大きい可能性である、請求項22記載の方法。
【請求項３０】
前記増大した確率が、50％大きい可能性である、請求項22記載の方法。
【請求項３１】
前記増大した確率が、100％大きい可能性である、請求項22記載の方法。
【請求項３２】
前記増大した確率が、200％大きい可能性である、請求項22記載の方法。
【請求項３３】
骨髄異形成症候群と診断された患者の延長された生存に対する遺伝子メチル化の影響を評価する方法。
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
光源と、カラーホイールと、光源を駆動するための駆動ユニットとを有し、
−前記カラーホイールは照明システムにより放射される光の色を決定する複数のカラーセグメントを有し、前記カラーホイールは前記カラーホイールを回転させることにより前記光源と光出力窓との間の光路内に複数のカラーセグメントからカラーセグメントを順次位置決めし、前記カラーホイールのスポークは、２つの隣接するカラーセグメントの間の境界であり、
−前記光源は、前記照明システムの前記光出力窓の方へ光を各々放射する第１の光放射ユニット及び第２の光放射ユニットを有し、
−第１の光放射ユニットと第２の光放射ユニットと前記スポークとは、前記光源と前記光出力窓との間の光路を通過するとき、前記スポークが、第１の光放射ユニットと前記光出力窓との間の第１の光路と、第２の光放射ユニットと前記光出力窓との間の第２の光路とを同時に通過することを防止し、
−前記駆動ユニットは、前記スポークが第１の光路を通過するときの時間間隔の間、第１の光放射ユニットのスイッチをオフにする、投影デバイスのための照明システム。
【請求項２】
第２の光放射ユニットに対する第１の光放射ユニットの位置決めが、第１の光路及び第２の光路を前記スポークが同時に通過することを防止するか、又は前記スポークの形状が、第１の光路及び第２の光路を前記スポークが同時に通過することを防止する、請求項１に記載の照明システム。
【請求項３】
前記駆動ユニットは、第１の光放射ユニットのスイッチをオフにしている間、第２の光放射ユニットにより放射する光の強度を増大する、請求項１又は２に記載の照明システム。
【請求項４】
前記駆動ユニットは、前記スポークが第２の光路の間を通過するときの時間間隔の間、第２の光放射ユニットのスイッチをオフにして、第１の光放射ユニットのスイッチをオンにする、請求項１、２又は３に記載の照明システム。
【請求項５】
前記駆動ユニットは、第２の光放射ユニットのスイッチをオフにしている間、第１の光放射ユニットにより放射する光の強度を増大する、請求項４に記載の照明システム。
【請求項６】
前記照明システムは前記光出力窓に向かって光を放射する第３の光放射ユニットを更に有し、前記スポークは、第１の光放射ユニットの第１の光路、第２の光放射ユニットの第２の光路及び第３の光放射ユニットと光出力窓との間の第３の光路を順次通過し、前記駆動ユニットは、前記スポークが第２の光路を通過するとき第１の光放射ユニット及び第２の光放射ユニットのスイッチをオフにするか、又は、前記駆動ユニットは、前記スポークが第２の光路を通過するとき第２の光放射ユニット及び第３の光放射ユニットのスイッチをオフにする、請求項１、２、３、４又は５に記載の照明システム。
【請求項７】
前記スポークが第２の光路を通過するとき、第１の光放射ユニット又は第３の光放射ユニットのスイッチをオフにする選択は、異なるカラーセグメントにより生成される色の効率により決定される、請求項６に記載の照明システム。
【請求項８】
前記照明システムにより放射される光の強度を検出するための光センサを更に有する、請求項１乃至７の何れか一項に記載の照明システム。
【請求項９】
第１の光放射ユニットは光エミッタの第１のアレイを有し、第２の光放射ユニットは光エミッタの第２のアレイを有し、第３の光放射ユニットは光エミッタの第３のアレイを有する、請求項１乃至８の何れか一項に記載の照明システム。
【請求項１０】
光エミッタの第１のアレイは光エミッタの第２のアレイと実質的に平行に配され、光エミッタの第１のアレイ及び光エミッタの第２のアレイは、前記スポークが前記光源と前記光出力窓との間に配されるとき前記スポークと実質的に平行になるように配されている、請求項９に記載の照明システム。
【請求項１１】
請求項１乃至１０の何れか一項に記載の照明システムを有する投影デバイス。
【請求項１２】
前記照明システムの前記光出力窓の方へ複数のカラーセグメントのうちのカラーセグメントにより放射される光を平行にするためのコリメート光学系を有する、請求項１乃至１０の何れか一項に記載の照明システムに使用するためのカラーホイール。
【請求項１３】
複数のカラーセグメントを有する基板を有し、当該基板はコリメート光学系を有する、請求項１２に記載のカラーホイール。
【請求項１４】
前記コリメート光学系は、前記カラーセグメントにより放射される光を平行にするための反射素子を有する、及び／又は前記カラーセグメントにより放射される光を平行にするための回折素子を有する、及び／又は前記カラーセグメントにより放射される光を平行にするために前記光出力窓と前記カラーセグメントとの間に配される屈折素子を有する、請求項１２又は１３に記載のカラーホイール。
【請求項１５】
前記カラーセグメントは、接線方向及び／又は半径方向に、前記カラーセグメントにより放射される光を平行にするため、前記カラーセグメント内に、光路と少なくとも部分的に平行して配される反射境界を有する、請求項１２、１３又は１４に記載のカラーホイール。
【請求項１６】
照明システムが、光源と、カラーホイールと、前記光源を駆動するための駆動ユニットとを有し、前記カラーホイールは、前記照明システムにより放射される光の色を決定する複数のカラーセグメントを有し、前記カラーホイールは、前記カラーホイールを回転させることにより、前記光源と光出力窓との間の光路の複数のカラーセグメントからカラーセグメントを順次位置決めし、前記カラーホイールのスポークは、２つの隣接するカラーセグメント間の境界であり、前記光源は更に、第１の光放射ユニット及び第２の光放射ユニットを有し、第１の光放射ユニット及び第２の光放射ユニットの各々は、前記照明システムの前記光出力窓の方へ光を放射し、第１の光放射ユニット、第２の光放射ユニット及び前記スポークは、前記光源と前記光出力窓との間の光路を通過するとき前記スポークが、第１の光放射ユニットと前記光出力窓との間の第１の光路と、第２の光放射ユニットと前記光出力窓との間の第２の光路とを同時に通過することを防止する、投影デバイスのための前記照明システム内の前記光源を駆動する方法であって、前記スポークが第１の光路を通過するときの時間間隔の間、第１の光放射ユニットのスイッチをオフにするステップを有する、方法。
【請求項１７】
第１の光放射ユニットのスイッチをオフにする間、第２の光放射ユニットにより放射する光の強度を増大するステップを更に有する、請求項１６に記載の方法。
【請求項１８】
請求項１６又は１７に記載の方法を実施するためのコンピュータプログラム。
【手続補正書】
【提出日】平成23年2月2日(2011.2.2)
【手続補正１】
【補正対象書類名】特許請求の範囲
【補正対象項目名】請求項７
【補正方法】変更
【補正の内容】
【請求項７】
前記パターン形成された絶縁材料層がネガ型レジストである、請求項６に記載の方法。